(57)【要約】【課題】  スライドドアの開扉、閉扉操作をする際に、スライドドアハンドルのどちら側を把持する方が適切かを乗員が簡単に認識できるようにすることである。さらに、スライドドアの施錠状態を乗員が簡単に認識できるようにすることである。【解決手段】  インサイドドアハンドル装置１は、スライドドア２０を開扉するための第一操作部２４と、スライドドア２０を閉扉するための第二操作部２５とを備え、第一操作部２４と第二操作部２５は、選択的に点灯及び消灯するハンドル部２３を夫々配置した。【選択図】  図１
2008202362.tif 000002
【特許請求の範囲】
【請求項１】
車両に設けられたスライドドアに対し、該スライドドアの室内側に設けられた操作部材は、前記スライドドアを開扉するための第一操作部と、前記スライドドアを閉扉するための第二操作部とを備え、前記第一操作部と前記第二操作部のうち少なくとも一方は、選択的に点灯及び消灯する第一報知部を備えた車両用スライドドア操作部材。
【請求項２】
前記スライドドアの施解錠状態を光の色あるいは色調により外部報知する第二報知部を備えた請求項１に記載の車両用スライドドア操作部材。
【請求項３】
前記第二報知部は、前記第一操作部と前記第二操作部との間に設けられている請求項２に記載の車両用スライドドア操作部材。
【請求項４】
前記第二報知部は、シフトレバー４０の状態に応じて点灯または消灯する請求項２または３に記載の車両用スライドドア操作部材。
【発明の詳細な説明】
【技術分野】
【０００１】
本発明は、自動車のスライドドアを開扉又は閉扉操作する車両用スライドドア操作部材に関する。
【背景技術】
【０００２】
従来の自動車に代表される車両用スライドドア操作部材は、特許文献１に示されるように、ドアの施解錠を操作するためのロックノブの作動に対応して、ロックノブに配設した光源により、ハンドルレバーの付近を照明し、異なる色の照明を行うことでドアの施錠状態を報知する自動車用のドアハンドルが開示されている。
【特許文献１】実開平６−１４３７７号公報（５頁、図１）
【発明の開示】
【発明が解決しようとする課題】
【０００３】
しかしながら、上記従来技術のような自動車用のドアハンドルを自動車用のスライドドアハンドルに適用した場合には、スライドドアの施錠状態を確認することはできるものの、スライドドアは、その開扉、閉扉操作に応じてハンドルを把持する箇所が異なるため、どちら側を把持すれば開扉しやすく、または閉扉しやすいかを乗員は認識することができなかった。
【０００４】
このために、本発明の課題は、スライドドアの開扉、閉扉操作をする際に、スライドドアハンドルのどちら側を把持する方が適切かを乗員が簡単に認識できるようにすることである。さらに、ドアの施錠状態を乗員が簡単に認識できるようにすることである。
【課題を解決するための手段】
【０００５】
上記した技術的課題を解決するために講じた第１の技術的手段は、車両に設けられたスライドドアに対し、該スライドドアの室内側に設けられた操作部材は、前記スライドドアを開扉するための第一操作部と、前記スライドドアを閉扉するための第二操作部と、を備え、前記第一操作部と前記第二操作部のうち少なくとも一方は、選択的に点灯及び消灯する第一報知部を備えたことである。
【０００６】
また、本発明で講じた第２の技術的手段は第１の手段に加えて、前記スライドドアの施解錠状態を光の色あるいは色調により外部報知する第二報知部を備えたことである。
【０００７】
また、本発明で講じた第３の技術的手段は第２の手段に加えて、前記第二報知部は、前記第一操作部と前記第二操作部との間に設けられていることである。
【０００８】
また、本発明で講じた第４の技術的手段は第２または３の手段に加えて、前記第二報知部は、シフトレバーの状態に応じて点灯または消灯することである。
【発明の効果】
【０００９】
本発明によれば、スライドドアを開扉、閉扉操作する際に、ハンドルのどちら側を把持して操作した方がドアを開扉しやすい、または閉扉しやすいかを乗員が簡単に認識することができる。したがって、車両用スライドドアの円滑な開閉操作をすることを可能とする。
【００１０】
また、スライドドアの施解錠状態を第二報知部の光の色または色調によって乗員が簡単に認識することができるので操作性を向上することができる。
【００１１】
また、第二報知部をシフトレバーの状態に応じて点灯または消灯させるようにすれば、より機能性の高い車両用スライドドアハンドルにすることができる。
【発明を実施するための最良の形態】
【００１２】
まず、本発明の構成について図面を参照して説明する。
【００１３】
図１は、インサイドドアハンドル装置１（車両用スライドドア操作部材）の正面図を示す。なお、本説明はインサイドドアハンドル装置１を車両１０の左側方に設けた場合についての説明である。
【００１４】
図１に示されるように、インサイドドアハンドル装置１は、車両１０の側方に沿って前後方向に摺動可能に配設されたスライドドア２０の車両１０における室内側のインサイドドアパネル２１に設けられている。インサイドドアハンドル装置１は、インサイドドアパネル２１に取り付けられたベース部２２と、ベース部２２の略中央に設けられたハンドル部２３（操作部材）と、ハンドル部２３の上部に設けられたロックノブ３０とから構成されている。ハンドル部２３及びロックノブ３０は、図示しない回転軸周りに一定角度範囲で回転し得るようになっている。
【００１５】
ベース部２２は、樹脂製でインサイドドアパネル２１に固定されており、内側に凹状の溝部２２ａを有し、溝部２２ａの略中央には、ハンドル部２３が設けられている。
【００１６】
ハンドル部２３は、直方体状に形成されており、ベース部２２に対してその表面が車両１０の室内側に向かって設けられている。また、ハンドル部２３は、スライドドア２０を開扉するためにハンドル部２３において車両１０前方側に設けた第一操作部２４と、スライドドア２０を閉扉するためにハンドル部２３において車両１０後方側に設けた第二操作部２５とを有している。
【００１７】
第一操作部２４、第二操作部２５及びロックノブ３０の内部には、光源２４ａ、２５ａ、３０ａ（第一報知部、第二報知部）が装着されている。この光源はＬＥＤ、ＥＬ等により構成されている。この光源からの光を透過するために第一操作部２４、第二操作部２５及びロックノブ３０は、光を透過可能な樹脂で形成されている。なお、本発明の第一報知部は、第一操作部２４、第二操作部２５に設けられた光源２４ａ、２５ａに相当し、第二報知部２５ａは、ロックノブ３０に設けられた光源３０ａに相当する。
【００１８】
ロックノブ３０は、第一操作部２４と第二操作部２５との間でベース部２２の溝部２２ａの上部に設けられ、スライドドア２０が施錠状態の時は、消灯しているが、解錠状態になった時には、赤色に点灯する。
【００１９】
ハンドル部２３の第一操作部２４及び第二操作部２５は、スライドドア２０の施解錠操作に応じてそれぞれ青色に点灯したり、消灯したりするようになっている。
【００２０】
なお、スライドドア２０は、車両１０に設けられたシフトレバー４０をパーキングの位置へ作動させる操作に連動して、施錠状態から解錠状態へ移行するように設定されている。
【００２１】
続いて、図１（１）〜（４）を参照して本実施例のスライドドア用インサイドドアハンドル装置１の作動について以下に説明する。
【００２２】
（ａ）スライドドア開扉時
乗員が車両１０を停止させた状態において、シフトレバー４０をパーキングに入れる。すると、シフトレバー４０のパーキングに入れる操作に連動して、スライドドア２０の施錠が解除される。施錠が解除されると、図１（１）に示すように、ロックノブ３０は、赤色に点灯し、スライドドア２０が解錠されたことを乗員に報知する。続いて、図１（２）に示すようにハンドル部２３の第一操作部２４が青色に点灯してスライドドア２０を開扉するために第一操作部２４を操作するように乗員を誘導する。この誘導に従い、乗員が第一操作部２４を回転軸周りに一定角度回転させて、図１（２）のＸ方向へ押すことにより、スライドドア２０を図２の車両１０の後方へ開扉することができる。
【００２３】
（ｂ）スライドドア閉扉時
車両１０が停止している状態において、乗員が外部からスライドドア２０の施錠を解除して、スライドドア２０を外部から開扉して乗車する。その時、図１（３）に示されるように、ロックノブ３０は、赤色に点灯しスライドドア２０が解錠状態であることを乗員に報知し、且つ第二操作部２５を青色に点灯させ、スライドドア２０を閉扉するように誘導する。この誘導に従い、乗員が第二操作部２５を図１（３）のＹ方向に押して、スライドドア２０を図２の車両１０の前方へ閉扉することができる。そして、外部からの操作により、スライドドア２０を施錠することにより、図１（４）に示すように、ロックノブ３０は施錠状態であることを示す青色に点灯する。
【００２４】
以上説明したように、本実施例のインサイドドアハンドル装置１によれば、スライドドア２０を開扉、閉扉操作する際に、ハンドル部２３の第一操作部２４か第二操作部２５のどちら側を把持して操作した方がスライドドア２０を開扉または閉扉しやすいかを乗員が簡単に認識することができる。したがって、スライドドア２０の円滑な開閉操作をすることを可能とする。
【００２５】
また、スライドドア２０の施解錠状態をロックノブ３０に設けた光源３０ａの光の色または色調によって乗員が簡単に認識することができるので操作性を向上することができる。
【００２６】
また、光源３０ａをシフトレバー４０の状態に応じて点灯または消灯させるようにすれば、より機能性の高い車両用スライドドアハンドル装置１にすることができる。
【００２７】
また、本実施の形態ではスライドドア２０が解錠された時に光源が赤色に点灯する例を挙げ、ハンドル部２３の第一、第二操作部２４、２５は、状況に応じて青色に点灯する例を挙げたが、本発明は、特に点灯する色の種類には限定されないため、適宜色の種類を変更しても良い。
【００２８】
また、各光源は点灯もしくは消灯することで乗員に報知していたが、本発明は特に消灯、点灯により報知することだけに限らず、例えば、段階的に照度を変えたり、周期的に点灯させて乗員に報知する形態を採用しても良いし、点滅することで乗員に報知する形態にしても良い。
【００２９】
また、ロックノブ３０、第一、第二操作部２４、２５には、それぞれ単独の光源２４ａ、２５ａ、３０ａを備えた例を挙げたが、例えば光源を１つにして状況に応じて光を透過、遮断することでロックノブ３０、第一、第二操作部２４、２５を点灯させても良い。
【００３０】
また、第一、第二操作部２４、２５を、少なくとも一方のみ選択的に点灯及び消灯するように構成しても良い。
【００３１】
また、車両１０後部に適宜センサー等を配置し、車両１０後方から接近する物体を感知した時、例えば第一、第二操作部２４、２５を点灯させて乗員に報知するようにしても良い。
【００３２】
以上、本発明を上記実施の態様に則して説明したが、本発明は上記態様にのみ限定されるものではなく、本発明の原理に準ずる各種態様を含むものである。
【図面の簡単な説明】
【００３３】
【図１】本発明の実施形態におけるインサイドドアハンドル装置の動作説明図を示す。
【図２】インサイドドアハンドル装置が配設された車両の側面図を示す。
【図３】インサイドドアハンドルが配設されたスライドドアを車内側から見た斜視図を示す。
【符号の説明】
【００３４】
１      インサイドドアハンドル装置（車両用スライドドア操作部材）
１０    車両
２０    スライドドア
２３    ハンドル部（操作部材）
２４    第一操作部
２４ａ  光源（第一報知部）
２５    第二操作部
２５ａ  光源（第一報知部）
３０    ロックノブ
３０ａ  光源（第二報知部）
４０    シフトレバー
【図１】
2008202362.tif 000003
【図２】
2008202362.tif 000004
【図３】
2008202362.tif 000005